(57)【要約】【課題】部品点数を減らせるとともに、組立て作業の作業性が向上した戸当たり付き把手を提供する。【解決手段】開閉体に取付けられ、硬質材料からなる把手部１１と、軟質材料からなる戸当たり部１２とからなり、該把手部１１は、その長さを開閉体の幅と同一とするとともに、その裏面には上記戸当たり部１２が付設され、上記把手部１１が開閉体の上端に積重して設けられることを特徴とする。好ましくは、上記把手部１１を硬質合成樹脂から構成するとともに、上記戸当たり部１２を側断面視くの字型の軟質合成樹脂から構成し、両者を同時成形により一体的に形成して戸当たり付き把手１とする。【選択図】図１
2005143685.tif 000002
【特許請求の範囲】
【請求項１】
開閉体に取付けられ、硬質材料からなる把手部と、軟質材料からなる戸当たり部とからなり、該把手部は、その長さを開閉体の幅と同一とするとともに、その裏面には上記戸当たり部が付設され、上記把手部が開閉体の上端に積重して設けられることを特徴とする戸当たり付き把手。
【請求項２】
上記把手部を硬質合成樹脂から構成するとともに、上記戸当たり部を側断面視くの字型の軟質合成樹脂から構成し、該硬質合成樹脂と軟質合成樹脂とを同時成形により一体的に形成してなる請求項１に記載の戸当たり付き把手。
【請求項３】
上記側断面視くの字型の軟質合成樹脂の下端部を自由端とした請求項２に記載の戸当たり付き把手。
【請求項４】
上記開閉体が扉体および引出しである請求項１に記載の戸当たり付き把手。
【発明の詳細な説明】
【技術分野】
【０００１】
本発明は、戸当たり付き把手に関する。さらに詳しくは、扉体、引出し等の開閉体に取付けられるとともに、把手と戸当たりとを一体的に構成した戸当たり付き把手に関する。
【背景技術】
【０００２】
従来、洗面化粧台等のキャビネットに用いられる扉体や引出し等の開閉体には、表側に把手を取付けるとともに、裏側に戸当たりを設けることが一般的に行なわれている。例えば、本願図４に示す公知の引出し７の裏面図から明らかなように、その前面板７１の裏面には戸当たりゴム９が設けられ、把手８の取付けネジ８１がキャビネットの桟木に当って傷つけることを防ぎ、また、引出し開閉時の開閉音の発生を防いでいる。
【特許文献１】特開平８−１９９８６７号公報（第１−３頁、第１〜３図）
【特許文献２】特開平１１−２２９７２１号公報（第１−３頁、第５〜８図）
【発明の開示】
【発明が解決しようとする課題】
【０００３】
しかしながら、本願図４に示す構造の場合、把手８と戸当たりゴム９の上記引出し前面板７１への取付けは別作業となるため、手間がかかり、また、部品点数が多くなるという問題がある。そこで、本発明は部品点数を減らせるとともに、組立て作業の作業性が向上した戸当たり付き把手を提供することをその課題とする。
【課題を解決するための手段】
【０００４】
上記課題を解決するために、本発明においては、つぎのような技術的手段を講じている。すなわち、本発明によれば、開閉体に取付けられ、硬質材料からなる把手部と、軟質材料からなる戸当たり部とからなり、該把手部は、その長さを開閉体の幅と同一とするとともに、その裏面には上記戸当たり部が付設され、上記把手部が開閉体の上端に積重して設けられることを特徴とする戸当たり付き把手が提供される。上記硬質材料としては、アルミ等の軽金属類、ポリプロピレン、ＡＢＳ樹脂、、硬質ポリ塩化ビニル等の硬質合成樹脂類、また、軟質材料としては、天然ゴム、合成ゴム等のゴム類、エラストマー、軟質ポリエチレン、軟質ポリ塩化ビニル等の軟質合成樹脂類があげられる。
【０００５】
上記把手部を硬質合成樹脂から構成するとともに、上記戸当たり部を側断面視くの字型の軟質合成樹脂から構成し、該硬質合成樹脂と軟質合成樹脂とを同時成形により一体的に形成することが好ましい。
【０００６】
上記側断面視くの字型の軟質合成樹脂の下端部を自由端としてもよい。上記把手部を上記開閉体の上端にビス留め、タック留め等の方法により積重する場合、上記自由端を跳ね上げて作業できるため、下端部を自由端とすることが好ましい。
【０００７】
上記開閉体が扉体および引出しであることが好ましい。上記扉体および引出しを種々のキャビネット、例えば洗面化粧台のキャビネットに好ましく適用することができる。
【発明の効果】
【０００８】
請求項１に記載の発明は上記のとおりであり、とくに、把手部が、その長さを開閉体の幅と同一とするとともに、その裏面に戸当たり部が付設され、上記把手部が開閉体の上端に積重して設けられているため、部品点数を減らすことが可能となり、組立て作業を簡単に行なうことができる。
【０００９】
上記把手部を硬質合成樹脂から構成するとともに、上記戸当たり部を側断面視くの字型の軟質合成樹脂から構成し、該硬質合成樹脂と軟質合成樹脂とを同時成形により一体的に形成するため、組立て部品の点数が減り、組立て作業の作業性を向上させることができる。
【００１０】
上記側断面視くの字型の軟質合成樹脂の下端部が自由端とされているため、上記把手部を開閉体の上端にビス留め、タック留め等の方法により積重する場合、上記自由端を跳ね上げて作業できるとともに、積重作業終了後は、この自由端が弾性復帰してビス、タック等の頭部を覆うことができる。
【００１１】
上記開閉体を扉体および引出しとすることにより、例えば、洗面化粧台のキャビネットに取付けたとき、開閉時の開閉音の発生を防ぎ、また、デザイン性に優れたキャビネットとすることができる。
【発明を実施するための最良の形態】
【００１２】
以下、本発明の実施形態について図面を参照して、詳細に説明する。図１は、本発明にかかる戸当たり付き把手１を洗面化粧台Ｓのキャビネットの引出し２と、収納部の扉体３に用いた例を示す斜視図である。図１からよくわかるように、上記戸当たり付き把手１は、硬質合成樹脂からなる把手部１１と、把手部１１の裏面に付設された軟質合成樹脂からなる戸当たり部１２を構成するパッキンとからなるとともに、把手部１１と側断面視くの字型の戸当たり部１２とは、同時成形により一体的に形成されている。また、把手部１１の長さは、引出し２の幅と同一され、また、収納部の扉体３の幅と同一とされている。図１に示す実施形態においては、把手部１１は、引出し２の前面板２１および収納部の扉体３の上端に接着剤により積重されている。
【００１３】
図２は、引出し２の前面板２１に上記戸当たり付き把手１を接着剤５により接着し、積重した状態を示す側断面図である。なお、扉体３に上記戸当たり付き把手１を接着し、積重した状態も図２に同時に示す。図２からよくわかるように、把手部１１の表側は手を掛け易いように垂下片１１１が設けられ、裏側には戸当たり部１２が付設されている。上記のように構成することにより、引出し２または収納部の扉体３を開閉したとき、桟木４に傷を付けることはなく、また、開閉音を小さくできる。
【００１４】
図３は、引出し２の前面板２１に上記戸当たり付き把手１をビス６により固定し、積重した状態を示す側断面図である。なお、扉体３に上記戸当たり付き把手１をビス留めし、積重した状態も図３に同時に示す。図３において、側断面視くの字型の戸当たり部１２の下端部は自由端とされているため、ビス６によるビス留めの際、矢印の方向に跳ね上げて作業し易いようにされている。ビス留め作業終了後は、弾性復帰してビス６の頭部を覆うため、桟木４に当っても傷を付けることはなく、また、開閉音の発生を防ぐことができる。さらに、引出し２および扉体３を閉じたとき、把手部１１が直線的に並び、すっきりと、デザイン性に優れたキャビネットとすることができる。
【図面の簡単な説明】
【００１５】
【図１】本発明にかかる戸当たり付き把手を示す斜視図である。
【図２】上記戸当たり付き把手を引出しの前面板（扉体）の上端に接着し、積重した状態を示す側断面図である。
【図３】上記戸当たり付き把手を引出しの前面板（扉体）の上端にビス留めし、積重した状態を示す側断面図である。
【図４】公知の戸当たりゴムを示す引出しの裏面図である。
【符号の説明】
【００１６】
１        本発明にかかる戸当たり付き把手
１１      把手部
１１１    垂下部
１２      戸当たり部
２        引出し
２１      上記の前面板
３        扉体
４        桟木
５        接着剤
６        ビス
７        公知の引出し
７１      引出し前面板
８        上記における把手
８１      上記取付けネジ
９        上記における戸当たりゴム
Ｓ        洗面化粧台
【図１】
2005143685.tif 000003
【図２】
2005143685.tif 000004
【図３】
2005143685.tif 000005
【図４】
2005143685.tif 000006